(57)【要約】【課題】囮缶を川底に設置する際の使い勝手がよく、また、確実に川底に繋留して流失を防止できる囮缶流出防止具を提供する。【解決手段】囮缶流出防止具Ａは、紐体２と、袋体４と、紐体２に取り付けられ、袋体４を収納するためのケース８と、固定部７０とを有し、紐体２は、蓋部１０に挿通するとともに袋体４を保持する第１紐体部４０と、蓋部１０及びケース本体１２に挿通する第２紐体部５０と、固定部７０よりも上方に設けられ、囮缶と着脱するための第３紐体部６０とを有している。ケース８は、蓋部１０とケース本体１２とを有している。ケース本体１２の把持部２５内には浮子が設けられている。【選択図】図４
2014140325.tif 000002
【特許請求の範囲】
【請求項１】
魚釣り用の囮缶の流出を防止するための囮缶流出防止具であって、
紐状部材からなる第１紐体部と、
第１紐体部を折り返し状態で両端を固定する固定部と、
紐状部材からなる第２紐体部で、一方の端部が該固定部により固定されて、他方の端部が自由端である第２紐体部と、
固定部に設けられた着脱部で、囮缶と着脱するための着脱部と、
通水性を有する袋体で、袋体の開口部周囲に係止孔が設けられ、該係止孔に第１紐体部が挿通されて第１紐体部に保持された袋体と、
ケース本体と、ケース本体に対して着脱自在の蓋体とから構成され、折り畳んだ状態の袋体を収納可能なケースで、蓋体には第１穴部が貫設され、ケース本体は、筒形状の側壁部と、側壁部の一端に形成された閉塞部で、第２穴部が貫設された閉塞部とを有するケースと、
を有し、
第２紐体部及び折返し状態の第１紐体部が第１穴部に挿通され、蓋体が、第２紐体部におけるケース本体と固定部の間の位置に設けられるとともに、第１紐体部における袋体と固定部の間の位置に設けられ、第２紐体部が、ケース本体の開口部からケース本体内を経て第２穴部に挿通してケース本体の外部に導かれて形成され、ケース本体が、ケース本体の開口部を固定部側に向けて、第２紐体部における蓋体と自由端の間の位置に設けられ、
第２紐体部の第２穴部よりも該自由端側には、ケース本体の脱落防止用の抜止め部が設けられていることを特徴とする囮缶流出防止具。
【請求項２】
魚釣り用の囮缶の流出を防止するための囮缶流出防止具であって、
紐状部材からなる第１紐体部と、
第１紐体部を折り返し状態で両端を固定する固定部と、
紐状部材からなる第２紐体部で、一方の端部が該固定部により固定されて、他方の端部が自由端である第２紐体部と、
固定部に設けられた着脱部で、囮缶と着脱するための着脱部と、
通水性を有する袋体で、袋体の開口部周囲に係止孔が設けられ、該係止孔に第１紐体部が挿通されて第１紐体部に保持された袋体と、
ケース本体と、ケース本体に対して着脱自在の蓋体とから構成され、折り畳んだ状態の袋体を収納可能なケースで、蓋体には第１穴部が貫設され、ケース本体は、筒形状の側壁部と、側壁部の一端に形成された閉塞部で、第２穴部が貫設された閉塞部とを有するケースと、
を有し、
折返し状態の第１紐体部が第１穴部に挿通され、蓋体が、第１紐体部における袋体と固定部の間の位置に設けられ、第２紐体部が、第１穴部を挿通せずに第２穴部からケース本体内に導かれて形成され、
第２紐体部の第２穴部よりも該自由端側には、ケース本体の脱落防止用の抜止め部が設けられていることを特徴とする囮缶流出防止具。
【請求項３】
着脱部は、紐状部材からなる第３紐体部により形成され、第３紐体部が折り返し状態でその両端が固定部に固定されていることを特徴とする請求項１又は２に記載の囮缶流出防止具。
【請求項４】
第１紐体部と第２紐体部と着脱部とが１本の紐状部材である紐材により形成され、
紐材は、該紐材の一方の端部から紐材に沿って伸びた途中位置である第１位置と、第１位置から紐材の一方の端部側とは反対側に伸びた後に第１折返し位置で折り返し第１位置まで伸びた位置である第２位置と、第２位置から紐材の一方の端部側に伸びた後に第２折返し位置で折り返し第１位置まで伸びた紐材の他方の端部位置とで紐材を束ねた状態で固定部により固定することにより、紐材における一方の端部から第１位置までの領域が第２紐体部であり、紐材における第１位置から第２位置までの領域が着脱部であり、紐材における第２位置から第３位置までの領域が第１紐体部であることを特徴とする請求項１又は２又は３に記載の囮缶流出防止具。
【請求項５】
第１紐体部と第２紐体部と着脱部とが１本の紐状部材である紐材により形成され、
紐材は、該紐材の一方の端部から紐材に沿って伸びた途中位置である第１位置と、第１位置から紐材の一方の端部側とは反対側に伸びた後に第１折返し位置で折り返し第１位置まで伸びた位置である第２位置と、第２位置から紐材の一方の端部側に伸びた後に第２折返し位置で折り返し第１位置まで伸びた位置である第３位置と、第３位置から紐材の一方の端部側とは反対側に伸びた後に第３折返し位置で折り返し第１位置まで伸びた位置である紐材の他方の端部位置とで紐材を束ねた状態で固定部により固定することにより、紐材における一方の端部から第１位置までの領域が第２紐体部であり、紐材における第１位置から第２位置までの領域及び第３位置から他方の端部までの領域が着脱部であり、紐材における第２位置から第３位置までの領域が第１紐体部であることを特徴とする請求項１又は２又は３に記載の囮缶流出防止具。
【請求項６】
蓋体が、筒形状の第２側壁部と、第２側壁部の一端に形成された第２閉塞部とを有し、第１穴部が該第２閉塞部に設けられ、第１側壁部及び第２側壁部が略円筒形状で、第１側壁部と第２側壁部の一方が他方に挿入可能に形成され、第１側壁部と第２側壁部の一方を他方に挿入した状態で、蓋体とケース本体とが固着した状態となることを特徴とする請求項１又は２又は３又は４又は５に記載の囮缶流出防止具。
【請求項７】
蓋体とケース本体とが、側壁部と第２側壁部に設けられた螺子機構により螺合することを特徴とする請求項６に記載の囮缶流出防止具。
【請求項８】
ケース本体の閉塞部の内面に浮子が固設され、浮子の中央に第２穴部と連通した第３穴部が貫設され、第３穴部と第２穴部とからなる連通孔に第２紐体部が挿通されていることを特徴とする請求項１又は２又は３又は４又は５又は６又は７に記載の囮缶流出防止具。
【請求項９】
第２紐体部におけるケース本体と自由端との間の位置に設けられ、ケース本体の第２紐体部の自由端側への移動を規制するストッパで、第２紐体部に沿って移動可能で、第２紐体部におけるケース本体と自由端との間の任意の位置で第２紐体部に固定可能なストッパが設けられていることを特徴とする請求項１又は２又は３又は４又は５又は６又は７又は８に記載の囮缶流出防止具。
【請求項１０】
第１紐体部における固定部と袋体との間の位置に設けられ、袋体の開口部を絞った状態で維持するためのスライド部材で、固定部から伸びる折返し状態の２本の紐状部材が挿通する挿通穴を有し、第１紐体部に沿って移動可能なスライド部材が設けられていることを特徴とする請求項１又は２又は３又は４又は５又は６又は７又は８又は９に記載の囮缶流出防止具。
【発明の詳細な説明】
【技術分野】
【０００１】
本発明は、鮎の友釣り時に河川中に浸漬される囮缶（オトリカン）の流出防止具に関するものである。
【背景技術】
【０００２】
従来より、鮎釣りには友釣りと呼ばれる手法が採用され、友釣りとは、釣糸先の仕掛けに餌ではなく囮となる鮎を掛着し、鮎の習性を利用し、野鮎に囮鮎を襲わせ、囮鮎に掛着した針に野鮎を引掛けて釣り上げる手法であり、囮に適した高活性の鮎を予め準備しておいたり、使用により衰弱した囮鮎を一旦休ませ、代わりに釣果野鮎を使用する等して、常に快活な状態の鮎を囮とする必要があることから、囮鮎や釣果野鮎の数尾を生かしたまま携行する必要があり、そのため囮缶と呼ばれる鮎収納ケースが利用されている。
【０００３】
この囮缶は、一般に、方形のケースであり、有蓋の鮎入出口を有し、上面部に通水孔が貫設され、囮鮎と河川水とを収納した状態での持ち運び、釣り場移動が可能とされ、同一釣り場に滞留する場合は、河川中に横倒して浸漬させることにより、上記通水孔から缶内外に河川水を流通させ、缶内環境を自然河川に近似させるようにしている。
【０００４】
しかし、突然の降雨等で河川水量が急増すると、囮缶を流失するおそれがあり、これを防止するために、例えば、釣った魚を収納する魚収納ケースにおいて、該魚収納ケースにリールを軸着し、該リールの軸部に魚収納ケースを繋留する繋留紐の一端部を固定し、該繋留紐を巻回して収納できるように構成され、また前記繋留紐の他端部にフックを取付けると共に、リールの近傍に該フックを係止する係止部を設けた魚収納ケースがあった（特許文献１）。
【先行技術文献】
【特許文献】
【０００５】
【特許文献１】実公平７−４６１５５号公報
【発明の概要】
【発明が解決しようとする課題】
【０００６】
しかし、上記特許文献１に記載の魚収納ケースは、流木や河原石等に繋留紐を巻付け、石等を錘として、アンカーと同様の作用で魚収納ケースの繋留を図るものであるが、その都度、紐巻付けに適した形状の石等を探さねばならず、また巻付けた紐の先端側を紐途中へ折返して、当該箇所に繋留紐先端のフックを係止することで、紐巻付け状態を維持させることから、紐巻付け状態維持の確実性に問題があり、遊釣中、気付かぬ内に、水流圧力、流下物の衝突等により、繋留紐が緩み解けて、魚収納ケースを流失するおそれがあり、また、遊釣途中で釣場移動をする際には、繋留紐を石等から一旦解いて移動し、移動後の釣り場において、再び適切な石等を探すか、或いは、移動前に使用していた石等を携行し、再度石等に繋留紐を巻き付ける必要があり、囮缶を川底に設置する際の使い勝手が悪いという問題があった。
【０００７】
そこで、本発明は、囮缶を川底に設置する際の使い勝手がよく、また、確実に川底に繋留して流失を防止できる囮缶流出防止具を提供することを目的とするものである。
【課題を解決するための手段】
【０００８】
本発明は上記問題点を解決するために創作されたものであって、第１には、魚釣り用の囮缶の流出を防止するための囮缶流出防止具であって、紐状部材からなる第１紐体部と、第１紐体部を折り返し状態で両端を固定する固定部と、紐状部材からなる第２紐体部で、一方の端部が該固定部により固定されて、他方の端部が自由端である第２紐体部と、固定部に設けられた着脱部で、囮缶と着脱するための着脱部と、通水性を有する袋体で、袋体の開口部周囲に係止孔が設けられ、該係止孔に第１紐体部が挿通されて第１紐体部に保持された袋体と、ケース本体と、ケース本体に対して着脱自在の蓋体とから構成され、折り畳んだ状態の袋体を収納可能なケースで、蓋体には第１穴部が貫設され、ケース本体は、筒形状の側壁部と、側壁部の一端に形成された閉塞部で、第２穴部が貫設された閉塞部とを有するケースと、を有し、第２紐体部及び折返し状態の第１紐体部が第１穴部に挿通され、蓋体が、第２紐体部におけるケース本体と固定部の間の位置に設けられるとともに、第１紐体部における袋体と固定部の間の位置に設けられ、第２紐体部が、ケース本体の開口部からケース本体内を経て第２穴部に挿通してケース本体の外部に導かれて形成され、ケース本体が、ケース本体の開口部を固定部側に向けて、第２紐体部における蓋体と自由端の間の位置に設けられ、第２紐体部の第２穴部よりも該自由端側には、ケース本体の脱落防止用の抜止め部が設けられていることを特徴とする。
【０００９】
この第１の構成の囮缶流出防止具においては、袋体をケースに収納した状態で、着脱部により囮缶流出防止具を囮缶に取り付けておき、囮缶を設置する場所（例えば、河川）において、ケースにおけるケース本体と蓋部とを分離し、ケースから袋体を取り出す。そして、袋体に錘（例えば、石）を収納し、袋体の開口部を引き絞って閉じる。袋体を川底に配置しておくことにより、袋体がアンカーとして機能し、囮缶の流出を防止することができる。
【００１０】
よって、袋体に錘を入れて川底に配置することにより囮缶の流出を防止できるので、囮缶を川底に設置する際の使い勝手がよい。また、袋体に錘が収納されるので、錘が脱落するおそれがなく、囮缶を確実に繋留しておくことができる。さらに、袋体をケースに収納できるので、囮缶流出防止具を使用しない場合には、全体をコンパクトにしておくことができる。
【００１１】
なお、上記第１の構成を以下の構成としてもよい。すなわち、「魚釣り用の囮缶の流出を防止するための囮缶流出防止具であって、紐状部材からなる第１紐体部と、第１紐体部を折り返し状態で両端を固定して第１紐体部をループ状とする固定部と、紐状部材からなる第２紐体部で、一方の端部が該固定部により固定されて、他方の端部が自由端である第２紐体部と、固定部から連設された着脱部で、囮缶と着脱するための着脱部と、通水性を有する袋体で、袋体の開口部周囲に係止孔が設けられ、該係止孔に第１紐体部が挿通されて第１紐体部に保持された袋体と、第１容器と、該第１容器に着脱自在の第２容器とから構成され、折り畳んだ状態の袋体を収納可能なケースで、第１容器は、筒形状の第１側壁部と、第１側壁部の一端に形成された第１閉塞部で、第１穴部が貫設された第１閉塞部とを有し、第２容器は、筒形状の第２側壁部と、第２側壁部の一端に形成された第２閉塞部で、第２穴部が貫設された第２閉塞部とを有し、第１穴部には第１紐体部及び第２紐体部が挿通され、第１容器が、第１容器の開口部を第２紐体部の自由端側に向けて、第１紐体部及び第２紐体部における第２容器よりも固定部寄りの位置に設けられ、第２穴部には第２紐体部が挿通され、第２容器が、第２容器の開口部を固定部側に向けて、第２紐体部における第１容器よりも自由端寄りの位置に設けられたケースと、を有することを特徴とする囮缶流出防止具。」としてもよい。
【００１２】
また、上記第１の構成を以下の構成としてもよい。すなわち、「魚釣り用の囮缶の流出を防止するための囮缶流出防止具であって、紐状部材からなる紐体と、該紐体の一方の端部から紐体に沿って伸びた途中位置である第１位置と、第１位置から紐体の一方の端部側とは反対側に伸びた後に第１折返し位置で折り返し第１位置まで伸びた位置である第２位置と、第２位置から紐体の一方の端部側に伸びた後に第２折返し位置で折り返し第１位置まで伸びた紐体の他方の端部位置とで紐体を束ねた状態で固定する固定部と、通水性を有する袋体で、袋体の開口部周囲に係止孔が設けられ、該係止孔に紐体における第２位置から第３位置までの領域である第１紐体部が挿通されて第１紐体部に保持された袋体と、ケース本体と、ケース本体に対して着脱自在の蓋体とから構成され、折り畳んだ状態の袋体を収納可能なケースで、蓋体には第１穴部が貫設され、ケース本体は、筒形状の側壁部と、側壁部の一端に形成された閉塞部で、第２穴部が貫設された閉塞部とを有し、第１穴部には第１紐体部及び紐体における一方の端部から第１位置までの領域である第２紐体部が挿通され、蓋体が、第１紐体部及び第２紐体部における第２容器よりも固定部寄りの位置に設けられ、第２穴部には第２紐体部が挿通され、ケース本体が、ケース本体の開口部を固定部側に向けて、第２紐体部における蓋体よりも自由端寄りの位置に設けられたケースと、を有することを特徴とする囮缶流出防止具。」としてもよい。
【００１３】
また、上記第１の構成を以下の構成としてもよい。すなわち、「魚釣り用の囮缶の流出を防止するための囮缶流出防止具であって、紐状部材からなる紐体と、該紐体の一方の端部から紐体に沿って伸びた途中位置である第１位置と、第１位置から紐体の一方の端部側とは反対側に伸びた後に第１折返し位置で折り返し第１位置まで伸びた位置である第２位置と、第２位置から紐体の一方の端部側に伸びた後に第２折返し位置で折り返し第１位置まで伸びた位置である第３位置と、第３位置から紐体の一方の端部側とは反対側に伸びた後に第３折返し位置で折り返し第１位置まで伸びた位置である紐体の他方の端部位置とで紐体を束ねた状態で固定する固定部と、通水性を有する袋体で、袋体の開口部周囲に係止孔が設けられ、該係止孔に紐体における第２位置から第３位置までの領域である第１紐体部が挿通されて第１紐体部に保持された袋体と、ケース本体と、ケース本体に対して着脱自在の蓋体とから構成され、折り畳んだ状態の袋体を収納可能なケースで、蓋体には第１穴部が貫設され、ケース本体は、筒形状の側壁部と、側壁部の一端に形成された閉塞部で、第２穴部が貫設された閉塞部とを有し、第１穴部には第１紐体部及び紐体における一方の端部から第１位置までの領域である第２紐体部が挿通され、蓋体が、第１紐体部及び第２紐体部における第２容器よりも固定部寄りの位置に設けられ、第２穴部には第２紐体部が挿通され、ケース本体が、ケース本体の開口部を固定部側に向けて、第２紐体部における蓋体よりも自由端寄りの位置に設けられたケースと、を有することを特徴とする囮缶流出防止具。」としてもよい。
【００１４】
また、第２には、魚釣り用の囮缶の流出を防止するための囮缶流出防止具であって、紐状部材からなる第１紐体部と、第１紐体部を折り返し状態で両端を固定する固定部と、紐状部材からなる第２紐体部で、一方の端部が該固定部により固定されて、他方の端部が自由端である第２紐体部と、固定部に設けられた着脱部で、囮缶と着脱するための着脱部と、通水性を有する袋体で、袋体の開口部周囲に係止孔が設けられ、該係止孔に第１紐体部が挿通されて第１紐体部に保持された袋体と、ケース本体と、ケース本体に対して着脱自在の蓋体とから構成され、折り畳んだ状態の袋体を収納可能なケースで、蓋体には第１穴部が貫設され、ケース本体は、筒形状の側壁部と、側壁部の一端に形成された閉塞部で、第２穴部が貫設された閉塞部とを有するケースと、を有し、折返し状態の第１紐体部が第１穴部に挿通され、蓋体が、第１紐体部における袋体と固定部の間の位置に設けられ、第２紐体部が、第１穴部を挿通せずに第２穴部からケース本体内に導かれて形成され、第２紐体部の第２穴部よりも該自由端側には、ケース本体の脱落防止用の抜止め部が設けられていることを特徴とする。
【００１５】
この第２の構成の囮缶流出防止具においては、袋体をケースに収納した状態で、着脱部により囮缶流出防止具を囮缶に取り付けておき、囮缶を設置する場所（例えば、河川）において、ケースにおけるケース本体と蓋部とを分離し、ケースから袋体を取り出す。そして、袋体に錘（例えば、石）を収納し、袋体の開口部を引き絞って閉じる。袋体を川底に配置しておくことにより、袋体がアンカーとして機能し、囮缶の流出を防止することができる。
【００１６】
よって、袋体に錘を入れて川底に配置することにより囮缶の流出を防止できるので、囮缶を川底に設置する際の使い勝手がよい。また、袋体に錘が収納されるので、錘が脱落するおそれがなく、囮缶を確実に繋留しておくことができる。さらに、袋体をケースに収納できるので、囮缶流出防止具を使用しない場合には、全体をコンパクトにしておくことができる。
【００１７】
また、第３には、上記第１又は第２の構成において、着脱部は、紐状部材からなる第３紐体部により形成され、第３紐体部が折り返し状態でその両端が固定部により固定されている（「固定部により固定されてループ状に形成されている」としてもよい）ことを特徴とする。
【００１８】
また、第４には、上記第１から第３までのいずれかの構成において、第１紐体部と第２紐体部と着脱部とが１本の紐状部材である紐材により形成され、紐材は、該紐材の一方の端部から紐材に沿って伸びた途中位置である第１位置と、第１位置から紐材の一方の端部側とは反対側に伸びた後に第１折返し位置で折り返し第１位置まで伸びた位置である第２位置と、第２位置から紐材の一方の端部側に伸びた後に第２折返し位置で折り返し第１位置まで伸びた紐材の他方の端部位置とで紐材を束ねた状態で固定部により固定することにより、紐材における一方の端部から第１位置までの領域が第２紐体部であり、紐材における第１位置から第２位置までの領域が着脱部であり、紐材における第２位置から第３位置までの領域が第１紐体部であることを特徴とする。よって、第１紐体部と第２紐体部と着脱部とを１本の紐材により構成することができ、製造コストを低減させることができる。
【００１９】
また、第５には、上記第１から第３までのいずれかの構成において、第１紐体部と第２紐体部と着脱部とが１本の紐状部材である紐材により形成され、紐材は、該紐材の一方の端部から紐材に沿って伸びた途中位置である第１位置と、第１位置から紐材の一方の端部側とは反対側に伸びた後に第１折返し位置で折り返し第１位置まで伸びた位置である第２位置と、第２位置から紐材の一方の端部側に伸びた後に第２折返し位置で折り返し第１位置まで伸びた位置である第３位置と、第３位置から紐材の一方の端部側とは反対側に伸びた後に第３折返し位置で折り返し第１位置まで伸びた位置である紐材の他方の端部位置とで紐材を束ねた状態で固定部により固定することにより、紐材における一方の端部から第１位置までの領域が第２紐体部であり、紐材における第１位置から第２位置までの領域及び第３位置から他方の端部までの領域が着脱部であり、紐材における第２位置から第３位置までの領域が第１紐体部であることを特徴とする。よって、第１紐体部と第２紐体部と着脱部とを１本の紐材により構成することができ、製造コストを低減させることができる。また、着脱部を２つのループ状の紐材により構成できるので、着脱部を強固にすることができる。
【００２０】
また、第６には、上記第１から第４までのいずれかの構成において、蓋体が、筒形状の第２側壁部と、第２側壁部の一端に形成された第２閉塞部とを有し、第１穴部が該第２閉塞部に設けられ、第１側壁部及び第２側壁部が略円筒形状で、第１側壁部と第２側壁部の一方が他方に挿入可能に形成され、第１側壁部と第２側壁部の一方を他方に挿入した状態で、蓋体とケース本体とが固着した状態となることを特徴とする。よって、第１側壁部と第２側壁部の一方を他方に挿入した状態で、蓋体とケース本体とが固着した状態となるので、蓋体とケース本体とが固着した状態を強固に維持することができる。
【００２１】
なお、上記第６の構成において、側壁部が第２側壁部に挿入可能に形成され、側壁部が第２側壁部に挿入した状態で、蓋体とケース本体とが固着した状態となるものとするのが好ましい。
【００２２】
また、第７には、上記第６の構成において、蓋体とケース本体とが、側壁部と第２側壁部に設けられた螺子機構により螺合することを特徴とする。よって、蓋体とケース本体とが固着した状態をより強固に維持することができる。
【００２３】
なお、上記第７の構成を以下の構成としてもよい。すなわち、「蓋体の第２側壁部における内面と外面の一方に、螺子溝と螺子突条の一方が形成され、ケース本体の側壁部における内面と外面の他方に、第２側壁部に設けられた螺子溝又は螺子突条の一方に螺合する螺子突条と螺子溝の他方が形成されていることを特徴とする請求項６に記載の囮缶流出防止具。」としてもよい。
【００２４】
また、第８には、上記第１から第７までのいずれかの構成において、ケース本体の閉塞部の内面に浮子が固設され、浮子の中央に第２穴部と連通した第３穴部が貫設され、第３穴部と第２穴部とからなる連通孔に第２紐体部が挿通されていることを特徴とする。よって、囮缶が完全に水没したとしても、ケース本体１２は、その一部分を水上に突出し、或いは、水面近くを浮遊することから目印となり、囮缶の発見が容易となる。
【００２５】
また、第９には、上記第１から第８までのいずれかの構成において、第２紐体部におけるケース本体と自由端との間の位置に設けられ、ケース本体の第２紐体部の自由端側への移動を規制するストッパで、第２紐体部に沿って移動可能で、第２紐体部におけるケース本体と自由端との間の任意の位置で第２紐体部に固定可能なストッパが設けられていることを特徴とする。よって、ケースを第２紐体部に対して上方に押し上げた状態で維持させることができるので、囮缶流出防止具を囮缶に取り付けた状態で囮缶を移動させる場合に、ケースが地面に接触しないようにしてケースの損耗を防ぐことができる。
【００２６】
なお、上記第９の構成を以下のようにしてもよい。すなわち、「上記第１から第８までのいずれかの構成において、第２紐体部におけるケース本体と自由端との間の位置に設けられ、ケース本体の第２紐体部の自由端側への移動を規制するストッパで、筒状部と筒状部の一方の端面に設けられた端面部とを有し、筒状部には固定部から伸びる第２紐体部が挿通する一対の第１挿通穴を有するストッパ本体部と、ストッパ本体部内に第１挿通穴の軸線方向に対して直角にスライド可能に設けられたスライド部で、第２紐体部が挿通する第２挿通穴で第１挿通穴と軸線方向が平行な第２挿通穴を有し、第１挿通穴と第２挿通穴とがずれた位置となるように付勢されたスライド部とを有し、スライド部の付勢方向に対して反対方向にスライド部をスライドさせて第１挿通穴と第２挿通穴とを合わせた状態で、第２紐体部に沿って移動可能で、スライド部のストッパ本体に対するスライド状態を解除することによりストッパが第２紐体部に固定し、第２紐体部における固定部と袋体との間の任意の位置で第２紐体部に固定可能であることを特徴とする。」としてもよい。
【００２７】
また、第１０には、上記第１から第９までのいずれかの構成において、第１紐体部における固定部と袋体との間の位置に設けられ、袋体の開口部を絞った状態で維持するためのスライド部材で、固定部から伸びる折返し状態の２本の紐状部材が挿通する挿通穴を有し、第１紐体部に沿って移動可能なスライド部材が設けられていることを特徴とする。よって、袋体の開口部を絞った状態で固定できるので、袋体の中に収納された錘が脱落するのを防止することができる。
【発明の効果】
【００２８】
本発明に基づく囮缶流出防止具によれば、袋体に錘を入れて川底に配置することにより囮缶の流出を防止できるので、囮缶を川底に設置する際の使い勝手がよい。また、袋体に錘が収納されるので、錘が脱落するおそれがなく、囮缶を確実に繋留しておくことができる。さらに、袋体をケースに収納できるので、囮缶流出防止具を使用しない場合には、全体をコンパクトにしておくことができる。
【図面の簡単な説明】
【００２９】
【図１】本実施例の囮缶流出防止具の前方斜視図である。
【図２】本実施例の囮缶流出防止具の後方斜視図である。
【図３】本実施例の囮缶流出防止具おけるケースから袋体を取出した状態を示す斜視図である。
【図４】本実施例の囮缶流出防止具おけるケースから取出した袋体を展開した状態を示す斜視図である。
【図５】紐体と固定部の構成を模式的に示す説明図である。
【図６】本実施例の囮缶流出防止具おけるケースの分解上方斜視図である。
【図７】本実施例の囮缶流出防止具おけるケースの分解下方斜視図である。
【図８】図６におけるＡ−Ａ断面図である。
【図９】本実施例の囮缶流出防止具を囮缶に取り付けた状態を示す斜視図である。
【図１０】本実施例の囮缶流出防止具おける袋体に石を収納した状態を示す斜視図である。
【図１１】本実施例の囮缶流出防止具の使用状態図である。
【図１２】本実施例の囮缶流出防止具おける応用例を示す斜視図である。
【発明を実施するための形態】
【００３０】
本発明においては、使い勝手が良く確実に繋留して流失を防止できる囮缶流出防止具を提供するという目的を以下のようにして実現した。
【００３１】
本実施例の囮缶流出防止具（囮缶繋留具としてもよい）Ａは、図９、図１１に示されるように、鮎釣りに使用される囮缶Ｂに着脱使用されるものであり、図１〜図４に示されるように、紐体２と、紐体２に保持され通水性を有する袋体４と、紐体２に取り付けられ、袋体４を収納するためのケース８と、紐体２に係止される絞り玉（スライド部材）３８及びストッパ３９とを有している。
【００３２】
紐体（紐材）２は、第１紐体部４０と、第２紐体部５０と、第３紐体部６０と、固定部７０とから構成され、第１紐体部４０、第２紐体部５０、及び第３紐体部６０は、１本の紐を特定の位置で折り返し、固定部７０でカシメて部分的に結束され、連続的に形成されている。紐体２の素材は任意であるが、例えば、天然又は合成繊維の糸を撚り合わせて調製した紐、真田紐のような細帯状の織布、金属製紐状可撓性部材の表面を合成樹脂で被覆した紐状複合部材が挙げられる。
【００３３】
第１紐体部４０は、１本の紐が中央からやや一端部寄りの位置で折り返され、折り返し位置とは反対側の位置で、折り重なった紐の一部分が固定部７０により結束されてループ状を呈し、この固定部７０を基端として下方へ伸張するループの下端部に袋体４が保持されている。つまり、第１紐体部４０の両側の端部が固定端となる。また、袋体４寄りの位置には絞り玉３８が設けられ、固定部７０寄りの位置にはケース８の蓋体１０が設けられている。なお、袋体４、ケース８の蓋体１０及び絞り玉３８の詳細については、後説する。
【００３４】
第２紐体部５０は、一本の紐の他端部側であり、固定部７０を基端として、下方に伸張している。つまり、第２紐体部５０の固定部７０側の端部が固定端であり、他方の端部が自由端となる。また、第２紐体部５０には、上端寄りの位置にケース８の蓋体１０が設けられ、下端部寄りの位置にケース８のケース本体１２が設けられ、更にその先にストッパ３９が設けられ、第２紐体部５０の下端部において結び止めすることにより、結び止め部（抜止め部）５０ａが設けられている。この結び止め部５０ａは、ケース本体１２が第２紐体部５０の自由端側の脱落を防止するためのものである。なお、結び止め部５０ａの代わりに、透孔２８よりも径の大きい部材を第２紐体部５０の端部に固定して、抜止め部としてもよい。
【００３５】
また、第２紐体部５０の長さは、蓋体１０とケース本体１２の縦方向の長さの和より長く、これは、使用時にケース８の蓋体１０とケース本体１２を分離させて袋体４の出し入れを可能とするためである。なお、ケース８のケース本体１２及びストッパ３９の詳細については、後説する。
【００３６】
第３紐体部（着脱部）６０は、第１構成部（第１着脱部）６０ａと、第２構成部（第２着脱部）６０ｂとから構成され、第１構成部６０ａは、一本の紐の一端部側であり、固定部７０から上方へ突出した一端部寄りの位置で折り返され、一端部が固定部７０で結束され、固定部７０を基端として上方へ伸張するループ状を呈している。
【００３７】
また、第２構成部６０ｂは、一本の紐の他端部側で、紐体２における第２紐体部５０より中央寄りの位置で折り返され、折り返し位置とは反対側の位置で、折り重なった紐の一部分が固定部７０により結束され、固定部７０を基端として上方へ伸張するループ状を呈している。
【００３８】
なお、第３紐体部６０（つまり、第１構成部６０ａ及び第２構成部６０ｂ）における固定部７０から折り返し位置までの長さ（つまり、ループ半分の長さ）は、閉止状態のケース８の縦方向の長さより長く、これは、使用時に第１構成部６０ａ及び第２構成部６０ｂのループにケース８を通過させて、第３紐体部６０を囮缶Ｂの肩掛けベルトＢ１等に結び付けて、囮缶流出防止具Ａを囮缶Ｂに着脱可能とするためである。
【００３９】
以上のように、図５に示すように、紐体２は、一本の紐の一端部側で第１構成部６０ａが形成され、この第１構成部６０ａに固定部７０を介して続く部分で第１紐体部４０が形成され、この第１紐体部４０に固定部７０を介して続く部分で第２構成部６０ｂが形成され、この第２構成部６０ｂに固定部７０を介して続く他端側で第２紐体部５０が形成されている。つまり、紐体２は、該紐体２の一方の端部Ｚ１から紐体２に沿って伸びた途中位置である第１位置Ｐ１と、第１位置Ｐ１から紐体の一方の端部側（Ｚ１側）とは反対側に伸びた後に第１折返し位置Ｑ１で折り返し第１位置まで伸びた位置である第２位置Ｐ２と、第２位置Ｐ２から紐体の一方の端部側に伸びた後に第２折返し位置Ｑ２で折り返し第１位置まで伸びた位置である第３位置Ｐ３と、第３位置Ｐ３から紐体の一方の端部側とは反対側に伸びた後に第３折返し位置Ｑ３で折り返し第１位置まで伸びた位置である紐体の他方の端部位置Ｚ２とで紐体を束ねた状態で固定部７０により固定することにより、紐体における一方の端部から第１位置までの領域を第２紐体部５０とし、紐体における第１位置Ｐ１から第２位置Ｐ２までの領域及び第３位置Ｐ３から他方の端部Ｚ２までの領域を着脱部６０とし、紐体２における第２位置Ｐ２から第３位置Ｐ３までの領域を第１紐体部４０としている。
【００４０】
袋体４は、柔軟性に富む紐を格子状に編み込み、網目を形成した網袋であり、一端に開口部を有し、この開口部の周囲に列設されている網目にループ状の第１紐体部４０における下端部が挿通されており、折り畳んだ状態でケース８に収納可能な大きさである。袋体４は、網袋であるため通水性を有している。
【００４１】
ケース８は、図６〜図８に示されるように、蓋体（第１容器）１０と、ケース本体（第２容器）１２とから構成されている。
【００４２】
蓋体１０は、円筒形状の側壁部（第２側壁部）１４と、側壁部１４の上端に設けられた円板形状の天板部（第２閉塞部）１６が形成され、天板部１６の中央に透孔（第１穴部）１８が貫設され、透孔１８の内周に環状金具２０が嵌設され、側壁部１４にあっては、内面の下端周に螺子溝（螺子機構）２２が形成されている。
【００４３】
ケース本体１２は、側壁部（第１側壁部）２３と、側壁部２３の下端に設けられた底板部（閉塞部（第１閉塞部））２６とを有し、側壁部２３は、円筒形状の側壁部本体２４と、側壁部本体２４の下部に連設され、六角筒形状で側壁部本体２４より大径の把持部２５を有している。また、把持部２５の下端に六角板形状の底板部２６が形成され、底板部２６の中央に透孔（第２穴部）２８が貫設され、透孔２８の内周に環状金具３０が嵌設されている。
【００４４】
また、図８に示されるように、底板部２６と把持部２５の内側の面には、合成樹脂の発泡成形体から形成された六角板形状の浮子３２が固設されている。つまり、把持部２５の内径は、側壁部本体２４の内径よりも大きく形成され、浮子３２の径は、側壁部本体２４の内径よりも大きくされているので、側壁部本体２４側に脱落することがない。また、浮子３２の中央に透孔３４が貫設され、浮子３２の透孔３４と、底板部２６の透孔２８とが連通され（透孔３４と透孔２８とで連通孔２７が構成される）、側壁部２４にあっては、蓋体１０の螺子溝２２に対応し螺合する螺子突条（螺子機構）３６が側壁部２４の外面に形成されている。
【００４５】
そして、図１〜図４に示されるように、蓋体１０の天板部１６における透孔１８には、第１紐体部４０（折返し状態の第１紐体部４０）及び第２紐体部５０が挿通され、蓋体１０は、その開口部を下方に向けて、第１紐体部４０及び第２紐体部５０におけるケース本体１２と固定部７０の間の位置に設けられ、また、第１紐体部４０における袋体４と固着柄部７０の間の位置に設けられている。固定部７０側から導かれた第１紐体部４０及び第２紐体部５０は、透孔１８を挿通し、蓋体１０内を経て蓋体１０の開口部から蓋体１０の外部に導かれる。
【００４６】
また、ケース本体１２の底板部側の透孔（つまり、連通孔２７）には、第２紐体部５０が挿通され、ケース本体１２は、その開口部を上方に向けて、第２紐体部５０における蓋体１０と第２紐体部５０の自由端の間の位置に設けられている。第２紐体部５０は、ケース本体１２の開口部からケース本体１２内を経て透孔（つまり、連通孔２７）に挿通してケース本体１２の外部に導かれて形成されている。
【００４７】
なお、本実施例のケース８は、蓋体１０の内側にケース本体１２が螺子込まれる（つまり、ケース本体１２の上中外側に蓋体１０が覆い被さる）形態であるが、蓋体１０とケース本体１２との内外関係はその逆でも良く、例えば、蓋体１０の側壁部１４の外面に螺子溝２２が形成され、ケース本体１２の側壁部２４の内面に蓋体１０の螺子溝２２に対応し螺合する螺子突条３６が形成され、ケース本体１２の内側に蓋体１０が螺子込まれる（つまり、蓋体１０の下部外側にケース本体１２が覆い被さる）形態としても良い。また、螺子突条と螺子溝の配置を逆とし、蓋体１０に螺子突条が形成され、ケース本体１２に螺子溝が形成されたケース８であってもよい。
【００４８】
絞り玉３８は、略球状を呈し、一方の面から反対側の面に向けて貫通する貫通穴（該貫通穴は、略球状の中心を通る）を有している。この貫通孔には、第１紐体部４０（固定部７０から伸びる折返し状態の２本の紐状部材）が挿通して設けられている。この絞り玉３８は、袋体４の開口部を絞るためのものである。すなわち、第１紐体部４０に沿って絞り玉３８を袋体４側にスライドさせることにより袋体４の開口部を絞ることができる。
【００４９】
また、ストッパ３９は、第２紐体部５０における下端部寄りの位置に係止されており、ストッパ３８と同様に、筒状部と筒状部の一端に設けられた端面部とを有する外装部（ストッパ本体）３９ａと、外装部３９ａ内に往復動自在に遊嵌された中子（スライド部）３９ｂとを有している。この中子３９ｂは、一端側に有するバネを介して筒状の外装部３９ａの端面部側（閉塞面内側）に連結され、他端側が外装部３９ａの外方に突出し、外装部３９ａにおける対向する一対の側面には、中子３９ｂの往復動方向と直交する方向に係止孔（穴部）（第１挿通穴）が貫設され、中子３９ｂの側面には、中子３９ｂの往復動方向と直交する方向に係止孔（穴部）（第２挿通穴）が貫設されている。中子３９ｂは、外装部３９ａに対して中子３９ｂが突出する方向に付勢され、中子３９ｂを外装部３９ａに対して押し操作していない状態では、外装部３９ａの係止孔と中子３９ｂの係止孔とはずれた位置となる。外装部３９ａ及び中子３９ｂの係止孔には、第２紐体部５０が挿通して設けられている。このストッパ３９は、ケース本体１２の第２紐体部５０の自由端側への移動を規制するためのものである。
【００５０】
ストッパ３９を使用する際は、バネ付勢に反発して中子３９ｂを外装部３９ａの閉塞面側にスライドさせて押し込み、外装部３９ａと中子３９ｂの係止孔を重ね合わせて連通させ、そこへ第２紐体部５０を挿通した後、押し操作を解除してスライド状態を解除すれば、中子３９ｂがバネ付勢により、閉塞面とは反対の方向に移動し、外装部３９ａと中子３９ｂの係止孔の位置がずれて、第２紐体部５０が外装部３９ａと中子３９ｂに挟まれ、ストッパ３９は第２紐体部５０に係止される。
【００５１】
そして、囮缶流出防止具Ａを使用する際には、先ず、図９に示されるように、囮缶Ｂの肩掛けベルトＢ１に囮缶流出防止具Ａの第１構成部６０ａ及び第２構成部６０ｂの基端部を当接し、袋体４が収納され閉止状態のケース８と、第１構成部６０ａ及び第２構成部６０ｂとにより、肩掛けベルトＢ１を挟み込むようにしながら、第１構成部６０ａ及び第２構成部６０ｂのループ内にケース８を通し、引き絞って、肩掛けベルトＢ１に囮缶流出防止具Ａを結び付ける。
【００５２】
なお、図９のように囮缶流出防止具Ａを囮缶Ｂに取り付けた状態で囮缶Ｂを運ぶ際に、囮缶流出防止具Ａが地面に接触してしまう場合には、ストッパ３９を第２紐体部５０に沿って固定部７０側（つまり、上方）にスライドさせておくことにより、ケース８が地面に接触してしまうことがない。
【００５３】
すなわち、ケース本体１２の下方に突出した第２紐体部５０を引き下げることにより、固定部７０が第２紐体部５０により引き寄せられ、ケース８と固定部７０とを近接させることができる。そして、第２紐体部５０に係止されたストッパ３９を上方に移動させて、ケース本体１２の底板部２６に当接させることにより、ケース８は、ストッパ３９により係止されて、囮缶Ｂへの近接状態が維持される。ストッパ３９を第２紐体部５０に沿ってスライドさせるには、ストッパ３９の外装部３９ａに中子３９ｂを押し込み、ストッパ３９の第２紐体部５０に対する係止を解除し、ストッパ３９を第２紐体部５０に沿ってスライドさせ、その後、中子３９ｂを戻して再係止させる。
【００５４】
従って、囮缶流出防止具Ａを取り付けたまま、囮缶Ｂを手提げにして移動しても、地面等にケース８を衝突させたり、引きずる頻度、おそれが軽減され、ケース８の損耗を防止することができる。
【００５５】
次に、囮缶流出防止具Ａを川底に設置する場合には、ケース８から袋体４を取り出し、袋体４に石等の錘を入れて使用する。
【００５６】
具体的には、ケース８の蓋体１０の側壁部１４と、ケース本体１２の下部の把持部２５を把持して、相反方向に回動させ、蓋体１０の螺子溝２２と、ケース本体１２の螺子突条３６の螺合を解除し、図３、図４に示されるように、蓋体１０とケース本体１２とを分離させる。この時、ケース本体１２は自由となり降下するが、ストッパ３９が第２紐体部５０におけるケース８と下端部との間に設けられていることにより、ケース本体１２の底板部２６の外面がストッパ３９に当接し、ストッパ３９により、係止されて脱落せず、ケース本体１２の紛失を防止できる。なお、蓋体１０とケース本体１２とを分離する際には、ストッパ３９を結び止め部５０ａ側にスライドさせておくことにより、蓋体１０とケース本体１２とを分離した際に、蓋体１０とケース本体１２間の間隔を広くし、袋体４を取り出しやすくすることができる。
【００５７】
次に、ケース８から取り出した袋体４を展開し、図１０に示されるように、錘Ｓとする適当な石等を袋体４に収納し、第１紐体部４０を袋体４に対して引っ張って袋体４の開口部を引き絞って閉じ、第１紐体部４０における袋体４寄りの位置に設けられ絞り玉３８を開口部間際まで移動させて閉止状態を維持させる。
【００５８】
そして、図１１に示されるように、河川中で囮缶Ｂを横倒し、錘Ｓを収納した袋体４を囮缶Ｂより川上側（図１１中、矢印は水流方向を表し、左側が川上側で右側が川下側である）へ少し離して川底に載置し、第１構成部６０ａ及び第２構成部６０ｂと、第１紐体部４０を軽く緊張させる。
【００５９】
この様に、囮缶Ｂは石等を錘Ｓとして、アンカーと同様の作用により、囮缶流出防止具Ａで繋留され、その後、遊釣中に急激に増水し囮缶Ｂが強く引っ張られても、第１構成部６０ａ及び第２構成部６０ｂは、囮缶Ｂが引っ張られることにより、更に締め付けられ、囮缶Ｂから囮缶流出防止具Ａが外れることはない。
【００６０】
また、袋体４に錘が収納されるので、錘が脱落するおそれがなく、囮缶Ｂを確実に繋留しておくことができる。特に、袋体４は、囮缶Ｂが引っ張られることにより、開口部が更に絞り込まれ、袋体４から石等の錘Ｓが漏出することはなく、従って、囮缶流出防止具Ａによれば、囮缶Ｂを確実に繋留して、流失を防止することができる。
【００６１】
また、囮缶Ｂを川底に設置する際に、袋体４の開口部から収納でき、網目から脱落することがない大きさの錘（例えば、石）を収納して、該袋体４を川底に配置すればよいので、囮缶Ｂを川底に設置する際の使い勝手がよい。
【００６２】
また、蓋体１０と分離されたケース本体１２は、内部に設けた浮子３２により、浮力が維持され浮上することから、囮缶Ｂが完全に水没したとしても、ケース本体１２は、その一部分を水上に突出し、或いは、水面近くを浮遊することから目印となり、囮缶Ｂの発見が容易となる。
【００６３】
また、釣場移動をする際には、袋体４の開口部から絞り玉３８を遠ざけて、開口部を開放し、袋体４から錘Ｓを取り出し、ケース８に袋体４を収納し、囮缶Ｂに囮缶流出防止具Ａを取り付けたまま移動すれば良く、袋体４がコンパクトに纏（まと）められていることから、移動の邪魔にならない。つまり、囮缶流出防止具Ａを使用しない場合には、全体をコンパクトにしておくことができる。
【００６４】
移動後は、ケース８から再び袋体４を取り出し、袋体４に錘Ｓを収納して繋留すればよく、錘Ｓは袋体４に収納可能なものであれば形状等その他の条件で束縛されないので、釣場周辺で容易に入手できて、面倒でない。
【００６５】
勿論、袋体４に錘Ｓを収納したまま、囮缶流出防止具Ａを囮缶Ｂから取り外して持ち運んだ後、再び囮缶Ｂに囮缶流出防止具Ａを取り付けても良く、必要に応じ選択すれば良い。
【００６６】
また、ケース８は、蓋体１０に設けた螺子溝２２と、ケース本体１２に設けた螺子突条３６とにより、螺合可能であることから、遊釣後の片付け時に、河川水に長時間浸漬されて、水分を吸収し、膨張した袋体４であっても、蓋体１０にケース本体１２を螺子込むことにより、容易且つ頑強に閉止できる。
【００６７】
以上のように、囮缶流出防止具Ａは、遊釣開始から、釣場移動時、遊釣終了に至るまで、とても使い勝手が良く、また繋留中に急激な増水等の状況変化があっても、意に反して繋留が断たれることはなく、確実に繋留して囮缶Ｂの流失を防止することができる。
【００６８】
なお、上記の説明において、固定部７０側から導かれた第２紐体部５０は、透孔１８を挿通し、蓋体１０内を経て蓋体１０の開口部から蓋体１０の外部に導かれ、さらに、ケース本体１２の開口部からケース本体１２内を経て透孔（つまり、連通孔２７）に挿通してケース本体１２の外部に導かれて形成されているとしたが、応用例として、図１２に示すように、透孔１８を挿通せずに、ケース本体１２の外部から連通孔２７を挿通してケース本体１２内に導くようにしてもよい。その場合には、結び止め部５０ａは、第２紐体部５０においてケース本体１２内に導かれた領域に形成される。図１２の構成においては、折返し状態の第１紐体部４０が透孔１８に挿通され、蓋体１０が、第１紐体部４０における袋体４と固定部７０の間の位置に設けられ、第２紐体部５０が、透孔１８を挿通せずに透孔２８からケース本体１２内に導かれてている。なお、ストッパ３９は、第２紐体部５０においてケース本体１２内に導かれた領域における固定部７０側の位置に設ける。これにより、ケース本体１２が蓋部１０と分離して固定部７０からぶら下がった状態の際に、ストッパ３９を固定部７０側にスライドさせておくことにより、ケース本体１２の位置を上方に位置させ、ケース本体１２が地面に接触するのを防止することができる。
【００６９】
この応用例においても、袋体４をケース８に収納した状態で、第３紐体部６０により囮缶流出防止具を囮缶に取り付けておき、囮缶を設置する場所（例えば、河川）において、ケース８におけるケース本体１２と蓋部１０とを分離し、ケース８から袋体４を取り出す。そして、袋体４に錘（例えば、石）を収納し、袋体４の開口部を引き絞って閉じる。袋体４を川底に配置しておくことにより、袋体４がアンカーとして機能し、囮缶の流出を防止することができる。よって、袋体４に錘を入れて川底に配置することにより囮缶の流出を防止できるので、囮缶を川底に設置する際の使い勝手がよい。また、袋体４に錘が収納されるので、錘が脱落するおそれがなく、囮缶を確実に繋留しておくことができ、さらに、袋体４をケース８に収納できるので、囮缶流出防止具を使用しない場合には、全体をコンパクトにしておくことができる。
【００７０】
なお、上記実施例及び応用例において、第３紐体部６０において、第１構成部６０ａの構成を省略し、第２構成部６０ｂのみの構成としてもよい。その場合には、第１紐体部４０の端部（第２構成部６０ｂ側とは反対側の端部）が紐体２の端部となる。
【００７１】
また、上記実施例及び応用例において、囮缶と着脱するための着脱部として第３紐体部６０の代わりに、他の構成の着脱部を固定部７０に取り付ける構成としてもよい。他の構成の着脱部としては、第３紐体部６０における第１構成部６０ａの構成を省略し、第２構成部６０ｂにリング、フック、ナスカン等の連結具を取り付ける構成や、同じく第１構成部６０ａの構成を省略し、第２構成部６０ｂに吸盤又は永久磁石を連結し、吸盤又は永久磁石により囮缶Ｂの胴部に付着させるようにしてもよい。
【００７２】
また、絞り玉３８の代わりにストッパ３９と同様の構成のストッパを用いて、スライド部材としてもよい。
【００７３】
また、袋体４としては、通水性を有する袋であればよく、本実施例の網袋の他、例えば、合成樹脂製の袋に通水孔を多数貫設した多孔袋、合成繊維で粗目に編んだニット袋等が挙げられる。
【符号の説明】
【００７４】
Ａ  囮缶流出防止具
Ｂ  囮缶
２  紐体
４  袋体
８  ケース
１０  蓋体
１２  ケース本体
１４、２３  側壁部
１６  天板部
１８、２８、３４  透孔
２４  側壁部本体
２５  把持部
２６  底板部
３２  浮子
３８  絞り玉
３９  ストッパ
４０  第１紐体部
５０  第２紐体部
６０  第３紐体部
６０ａ  第１構成部
６０ｂ  第２構成部
７０  固定部
【図１】
2014140325.tif 000003
【図２】
2014140325.tif 000004
【図３】
2014140325.tif 000005
【図４】
2014140325.tif 000006
【図５】
2014140325.tif 000007
【図６】
2014140325.tif 000008
【図７】
2014140325.tif 000009
【図８】
2014140325.tif 000010
【図９】
2014140325.tif 000011
【図１０】
2014140325.tif 000012
【図１１】
2014140325.tif 000013
【図１２】
2014140325.tif 000014